(57)【要約】【課題】  本発明は服装に合わせて、またファッション上から、それぞれに応じてバックルおよびベルトを取り替えて使用することが可能であると共に、ベルトの長さを着用者のサイズに応じて適宜調整可能にできるベルトを提供する。【解決手段】  帯状体のベルト部材１が、バックル４とベルト部材１とを接続するバックル接続部１１とベルト部材本体１２とからなり、該バックル接続部１１は、バックル４のフレームの縦方向の一辺のベルト装着軸５に、該バックル接続部１１の一端部分を湾曲させて掛け渡して折り重ね重複部３を形成し、該折り重ね重複部３におけるバックル接続部１１の内側において対向するそれぞれの位置に、相互に係合または嵌合する一対の着脱部材６、６１を少なくとも１個設けて、該バックル接続部１１の重複部を接合、分離可能に構成し、該バックル接続部のバックル装着側と対向する他端部にベルト接合部材２を設け、該ベルト接合部材２を介してベルト部材本体１２を接合するように構成してなることを特徴とする。【選択図】    図２
2006052484.tif 000002
【特許請求の範囲】
【請求項１】
帯状体のベルト部材１が、バックル４とベルト部材１とを接続するバックル接続部１１とベルト部材本体１２とからなり、該バックル接続部１１は、バックル４のフレームの縦方向の一辺のベルト装着軸５に、該バックル接続部１１の一端部分を湾曲させて掛け渡して折り重ね重複部３を形成し、該折り重ね重複部３におけるバックル接続部１１の内側において対向するそれぞれの位置に、相互に係合または嵌合する一対の着脱部材６、６１を少なくとも１個設けて、該バックル接続部１１の重複部を接合、分離可能に構成し、該バックル接続部のバックル装着側と対向する他端部にベルト接合部材２を設け、該ベルト接合部材２を介してベルト部材本体１２を接合するように構成してなることを特徴とするベルト。
【発明の詳細な説明】
【技術分野】
【０００１】
本発明は、バックルの取り替えが可能なバックル止め構造を有すると共に、ベルトの長さが適宜調整可能なベルト接続部を有するベルトに関する。
【背景技術】
【０００２】
ベルトは、一般に、所定長さを有する帯状体のベルト部材の一方にバックルが取り付けられており、他方には複数個の貫通する穴が設けてある。バックルには挿入されたベルトを係止するベルト係止ピンを備えており、この係止めピンを前記貫通する穴に差し込んでベルトを係止するように構成されている。このようなベルトは、ズボンやスカートを着用したときに通常衣服の腰の部位に位置するようにして、ズボンやスカートなどを身体に保持させるという機能を有する。またファッションや装飾的な機能をも有する。
【０００３】
従来からベルトをバックルに装着する手段としては、例えばバックルのベルト装着軸にベルト本体を掛け渡し縫着あるいは鋲やネジなどにより固定して装着される。この場合は着用者が腰周りサイズに合うように適宜の長さにベルトの長さを調整して使用することができない。ベルトをバックルに掛け渡して逢着部７００で固定し、ベルトの長さを着用者の腰周りサイズに合うように適宜調整するようにしたものもある。例えば、図６に示すように、ベルト１００の長さを調整するベルト調整金具２００をベルトに設け、所望する適宜の長さに切断し、前記ベルト調整金具を介してベルトの長さを調整する方法が知られている。このようなバックルとベルト本体とを縫着あるいは鋲やネジ止めなどにより固定し一体化したものにあっては、服装に合わせて、またはファッション上からそれぞれのものを個別に着用することが必要になり不経済である。
【０００４】
一方、ベルトをバックルから取り外し交換することができるようにしたものも知られている。例えば、図７に示したように、ベルト本体１００をバックル４００のベルト装着軸５００に掛け渡して折り返し部をスナップ等の着脱部材６００，６０１により取り外し可能に構成されたものがある。またバックルの取り替えが可能なベルトのバックル止め構造が特許文献１に開示されている。これらのものにあっては、バックルを所望に応じて取り替え交換して使用することができるが、着用者が必要に応じてベルトの長さを適宜の長さに調整することはできない不便さがある。
【特許文献１】特開平７−９０７０６号公報
【発明の開示】
【発明が解決しようとする課題】
【０００５】
上記したように従来ベルトとバックルとを取り外し可能にしたもの、また、ベルトの長さを調整するようにしたものはそれぞれ知られている。しかしながら、バックルをベルトから取り外し交換可能にし、かつベルトの長さを着用者のサイズに合わせて調整できるようにしたベルトはこれまでみられない。
一般にベルトは、ズボンやスカートなどを身体に保持させる帯状体のもので、通常衣服の腰の部位に位置するようにして着用されるので比較的目立ち易い部分であり、ファッション上や装飾的な面から重要なポイントとなるものである。
本発明は、服装に合わせて、またはファッション上から、それぞれに応じてバックルを取り替えて使用することが可能であると共に、ベルトを取り替えて使用することもでき、またベルトの長さを着用者のサイズに応じて適宜調整可能にできるベルトを提供することを目的とする。
【課題を解決するための手段】
【０００６】
すなわち、本発明は、帯状体のベルト部材１が、バックル４とベルト部材１とを接続するバックル接続部１１とベルト部材本体１２とからなり、該バックル接続部１１は、バックル４のフレームの縦方向の一辺のベルト装着軸５に、該バックル接続部１１の一端部分を湾曲させて掛け渡して折り重ね重複部３を形成し、該折り重ね重複部３におけるバックル接続部１１の内側において対向するそれぞれの位置に、相互に係合または嵌合する一対の着脱部材６、６１を少なくとも１個設けて、該バックル接続部１１の重複部を接合、分離可能に構成し、該バックル接続部のバックル装着側と対向する他端部にベルト接合部材２を設け、該ベルト接合部材２を介してベルト部材本体１２を接合するように構成してなることを特徴とするベルトに係る。
【発明の効果】
【０００７】
本発明に係るベルトは、バックルとベルト部材とを接続するバックル接続部とベルト部材本体とからなり、バックル接続部においてバックルをベルト部材から適宜取り外し別のバックルと交換することができ、服装に合わせて、またファッションの面からバックルを適宜取り替えて使用することができる。
また本発明はバックル接続部のバックルを装着する側と対向する側の端部にベルト接合部材が設けられており、ベルト部材のバックル接続部とベルト部材本体とを分離できるように構成されているので、該ベルト接合部材を介して着用者の腰回り等のサイズに合わせてベルトの長さを適宜調整することができる。また、該ベルト接合部材を介してベルト部材本体を適宜服装などにより取り替えて使用することもできるので、バックルとベルトとの組み合わせを、時時に応じて種々取り替えバックルとベルトの多様な組み合わせが可能で利便性に富むとともに経済的である。
【発明を実施するための最良の形態】
【０００８】
本発明に係るベルトは、帯状体のベルト部材１が、バックルとベルト部材とを接続するバックル接続部１１とベルト部材本体１２とからなり、該バックル接続部１１は、バックル４のフレームの縦方向の一辺のベルト装着軸５に、該バックル接続部１１の一端部分を湾曲させて掛け渡して折り曲げ、折り重ね重複部３を形成し、該折り重ね重複部３における該バックル接続部１１の内側において対向するそれぞれの位置に相互に係合または嵌合する一対の着脱部材６、６１を少なくとも１個設けて、バックル接続部の折り重ね重複部３の接合、分離が可能に構成されている。一方、バックル接続部１１のバックル装着側と対向する側の他端部にベルト接合部材２が設けられており、該ベルト接合部材２を介してベルト部材本体１２を接合するように構成されている。
【０００９】
以下本発明の実施態様を図面を参照して詳細に説明する。
図１は本発明に係るベルトの要部を示す平面図を示し、図２は側面図を示す。図３は図１のＡ−Ａ切断断面図を示す。図４（１）、図４（２）および図４（３）はベルト部材のバックル接続部１１を湾曲させてバックル４に掛け渡し装着する折り重ね重複部３を形成するバックル接続部１１を示し、図４（１）は展開平面図、図４（２）は図４（１）のＢ−Ｂ切断断面図、図４（３）は折り重ね重複部を示す側面図をそれぞれ示す。
【００１０】
図１、図２および図３に示すように、本発明のベルト部材１は、ベルト部材をバックル４に装着するバックル接続部１１とベルト部材本体１２とで構成されている。
本発明のベルトは、上記バックル接続部１１において該バックル接続部１１の一端部分を湾曲させてバックル４のフレームの縦方向の一辺のベルト装着軸５に掛け渡して折り曲げて、折り重ね重複部３を形成し、該重複部３には相互に係合あるいは嵌合する着脱部材６、６１が少なくとも１個設けられており、バックル接続部１１の折り重ね重複部３の接合、分離が可能に構成されている。一方、該バックル接続部１１のバックル装着側と対向する側、すなわちバックルの取り付け側と対向する側のバックル接続部１１の他端部にベルト接合部材２が設けられている。そして該ベルト接合部材２を介して、ベルト部材１を構成するベルト部材本体１２が接合されるように構成されている。
【００１１】
本発明におけるベルト接合部材２は、それ自体公知のものが使用されるが、例えば、図５に示すように、ベルト部材１を構成するバックル接続部１１の一端部に固定する狭着固定部材２３、拘止爪２４、およびベルト部材本体を固定する鋸歯状係止部２２を有する回動可能な脱着・接続金具２１を有している接合用金具２０からなる。該ベルト接合部材２は、該接合用金具２０の狭着固定部材２３および拘止爪２４によりバックル接続部１１のバックル装着側と対向する他端部に取り付けられている。ベルト部材本体１２は、該接合用金具の回動可能な脱着・接続金具２１を備えた側から挿入し、脱着・接続金具２１を回動して、鋸歯状係止部２２をベルト部材に押圧して脱着・接続金具２１の端部係止具２５を接合用金具に係止することによりベルト部材本体１２が固定されるように構成されている。したがって、このベルト接合部材２を介して用いることにより、ベルトの長さを必要に応じて適宜調整することができ、またベルト部材本体を取り替えて着用することができる。なお、このベルト接合部には通常、ベルト押え環状帯８が備えられている。
【００１２】
本発明におけるバックルは、例えば略方形状または略楕円形状のフレームで形成されており、フレームの一辺はベルト部材を構成するバックル接続部を装着する装着軸５を形成し、該装着軸５には、本発明におけるベルト部材本体１２のベルト接合部側に対向する側に設けられた貫通する孔に挿通してベルトを係止するベルト係止ピン７が回転自在に設けられている。
【００１３】
本発明における上記したバックルとベルト部材１とを接続するバックル接続部１１は、図４（１）、図４（２）および図４（３）に示すように構成されている。すなわち、該接続部１１には、該バックル接続部の一端部分を湾曲させて、バックル４のフレームの一辺に形成されたベルト装着軸５に掛け渡して折り曲げて、折り重ね重複部３を形成するに際してバックル４のフレームに設けられたベルト係止ピン７を挿通する縦長形状の挿通溝１０が穿設されている。そして折り重ね重複部３を重合し固定するための相互に係合あるいは嵌合する一対の着脱部材６、６１が、挿通溝１０の縦長方向の両側の所定の位置に設けられており、図４（３）に示すように該バックル接続部の一端部分を湾曲させて挿通溝１０にベルト係止ピン７を挿通し、着脱部材６、６１を相互に係合あるいは嵌合させて重複部３を接合固定してバックルの装着し、着脱部材を分離することにより、バックルの取り外しが可能になっている。
【００１４】
上記したように、本発明におけるベルト部材を構成するバックル接続部１１のバックル装着側に対向する側、すなわちバックル取り付け側に対向する他端部にはベルト接合部材２が設けられており、該ベルト接合部材２を介して、ベルト部材を構成するベルト部材本体１２が接合されるように構成されている。
【００１５】
本発明のベルトは、上記のように構成されてなり、ベルト部材１の一方の端にはバックル４が取り付けられ、他方の側にはベルト係止ピン７を挿入する複数個の貫通する穴が設けてある帯状体のものからなり、皮製のものや布製のもので、表面に装飾を施したもの、表面が皮で裏面が布で加工されたもの、など種々のものがある。またバックルは一般に略方形状、あるいは略楕円形状のフレームからなりフレームの一辺にはベルト係止ピンを備えており、フレームには装飾を設けたものや彫刻を施したものなど種々のもがある。
【００１６】
上記のように構成された本発明のベルトは、バックル接続部１１においてバックル４をベルト部材１から適宜取り外し別のバックルと交換することができ、さらにベルト接合部材２を介して、ベルトの長さの調節が可能であるとともに、ベルト部材本体１２を取り替えて着用することができる。
従って、着用者がバックルを交換して使用する際には、着脱部材６、６１を外してバックルを所望のものに取り替えてバックル接続部１１に装着し着脱部材６、６１を係合または嵌合して使用することができる。またベルト接合部材２を介してベルト部材本体１２を取り替えるなど、ベルトとバックルを服装などに合わせてそれぞれ所望のものに取り替え、組み合わせて使用することができる。さらには、着用者の腰周り等のサイズに合わせてベルト部材本体を所要の長さに切断し、ベルト接合部材に装着して使用することができる。
【図面の簡単な説明】
【００１７】
【図１】本発明に係るベルトの要部を示す平面図。
【図２】本発明に係るベルトの要部を示す側面図。
【図３】図１のＡ−Ａ切断断面図。
【図４】（１）  バックル接続部の展開平面図。  （２）  図４（１）のＢ−Ｂ切断断面図。  （３）  折り重ね重複部を示す側面図。
【図５】ベルト接合部材の展開裏面を示す斜視図。
【図６】バックルを縫着固定しベルト調整金具を有する従来のベルトの一例を示す平面図。
【図７】バックルを着脱可能にした従来のベルトの一例を示す側面図。
【符号の説明】
【００１８】
１・・・ベルト部材
１１・・・バックル接続部
１２・・・ベルト部材本体
２・・・ベルト接合部材
３・・・折り重ね重複部
４・・・バックル
５・・・ベルト装着軸
６、６１・・・着脱部材
７・・・ベルト係止ピン
８・・・ベルト押え環状帯
１０・・・ベルト係止ピン挿通溝
２０・・・ベルト接合用金具
２１・・・回動可能な脱着・接続金具
２２・・・鋸歯状係止部
２３・・・狭着固定部材
２４・・・拘止爪
２５・・・端部係止具
１００・・・ベルト
２００・・・ベルト調整金具
３００・・・逢着部
４００・・・バックル
５００・・・ベルト調整金具
６００，６０１・・・着脱部材
【図１】
2006052484.tif 000003
【図２】
2006052484.tif 000004
【図３】
2006052484.tif 000005
【図４】
2006052484.tif 000006
【図５】
2006052484.tif 000007
【図６】
2006052484.tif 000008
【図７】
2006052484.tif 000009